(57)【要約】【課題】内枠側から前枠側に遊技球を流下させ得る球払出通路を備えた遊技機において、前枠開放時に遊技球の零れ落ちがより生じにくい構成を提供する。【解決手段】払出通路部１５は、内枠側の上流側通路１５ａと、前枠側の下流側通路１５ｂとを備え、上流側通路１５ａには、回動軸線Ｇ１を中心として回動する第１回動内壁部６１及び第２回動内壁部６２が設けられている。この払出通路部１５では、前枠の閉塞時に、当該前枠側に設けられた押圧部９９によって延出部６９が押圧され、第１回動内壁部６１及び第２回動内壁部６２が付勢手段による付勢に抗して第１回動位置（遊技球を案内する位置）に設定される。一方、前枠の開放時には押圧部９９がそれら回動内壁部から離間して押圧が解除され、第１回動内壁部６１及び第２回動内壁部６２が第２回動位置（遊技球の流下を遮断する位置）に設定されるようになっている。【選択図】図１０
2011130948.tif 000002
【特許請求の範囲】
【請求項１】
遊技盤を保持する内枠と、
前記遊技盤の前面側において前記内枠に対し開閉可能に設けられた前枠と、
前記内枠側に設けられた球払出装置と、
前記内枠側に設けられた上流側通路と、前記前枠側に設けられた下流側通路とを有し、前記内枠の前記球払出装置から払い出された遊技球を前記上流側通路及び前記下流側通路によって前記前枠に設けられた球受皿に誘導する球払出通路と、
を備え、
前記前枠の閉塞時に前記下流側通路が前記上流側通路に隣接して配置され、前記前枠の開放時には前記下流側通路が前記上流側通路から離間する遊技機であって、
前記上流側通路には、
前記遊技球の流下方向と交差する所定の回動軸線の周囲を回動可能に配置されると共に前記回動軸線から所定距離離れた位置において前記回動軸線を中心とする周方向に沿って配され、当該上流側通路の一部として前記遊技球を案内する第１回動位置と当該上流側通路を通る前記遊技球の流下を遮断する第２回動位置とに変位する回動内壁部と、
前記回動内壁部を回動可能に保持する保持部と、
前記回動内壁部を前記第２回動位置側に付勢する付勢手段と、
が設けられており、
前記前枠の閉塞時には、当該前枠に設けられた所定の押圧部によって前記回動内壁部又は前記回動内壁部に連結された部位が押圧されることで前記回動内壁部が前記付勢手段による付勢に抗して前記第１回動位置に設定され、前記前枠の開放時には前記押圧部が前記回動内壁部から離間することで押圧が解除されて前記回動内壁部が前記第２回動位置に設定されることを特徴とする遊技機。
【請求項２】
前記遊技盤の盤面と直交する方向を前後方向とし遊技者側を前方側としたとき、
前記回動内壁部は、前記第２回動位置のときに前記上流側通路の通路内に進入して当該上流側通路を流下する前記遊技球を堰き止め、前記第１回動位置のときには前記第２回動位置よりも前方側に退避することを特徴とする請求項１に記載の遊技機。
【請求項３】
前記回動内壁部として、前記回動軸線を中心として回動可能に構成された第１回動内壁部及び第２回動内壁部が設けられ、
前記第１回動内壁部及び前記第２回動内壁部はそれぞれ、前記第１回動位置と前記第２回動位置とで変位する構成をなしており、
前記第１回動内壁部は、前記第２回動位置にあるときに前記上流側通路の所定位置を遮断し、
前記第２回動内壁部は、前記第２回動位置にあるときに前記上流側通路における前記第１回動内壁部による遮断位置よりも下流位置を遮断することを特徴とする請求項１又は請求項２に記載の遊技機。
【請求項４】
前記第１回動内壁部と前記第２回動内壁部とが一体的に連結されると共に、前記第１回動内壁部及び前記第２回動内壁部の少なくともいずれか一方に前記回動軸線を中心とする回動半径方向外側に延出する延出部が連結されており、
前記第１回動内壁部及び前記第２回動内壁部は、前記前枠の閉塞時に前記延出部が前記押圧部によって押圧されることでそれぞれ前記第１回動位置に設定され、前記延出部が前記内枠側に設けられたベース部材と当接することで所定回動範囲を超える回動が規制されることを特徴とする請求項２又は請求項３に記載の遊技機。
【請求項５】
前記遊技盤の盤面と直交する方向を前後方向とし遊技者側を前方側としたとき、
前記上流側通路は、前記遊技球を下方に誘導する下方誘導部と、前記下方誘導部によって誘導された前記遊技球を前方側に向けて方向転換する方向転換部とを備え、
前記第１回動内壁部は、前記第２回動位置にあるときに前記方向転換部の入口側において前記遊技球の下方側への流下を遮断し、前記第２回動内壁部は、前記第２回動位置にあるときに前記方向転換部の出口側において前記遊技球の前方側への流下を遮断することを特徴とする請求項２から請求項４のいずれか一項に記載の遊技機。
【請求項６】
前記第１回動内壁部は、前記第１回動位置のときに前記方向転換部の出口側部分の天井壁として構成され、前記第２回動位置のときには前記第１回動位置よりも後方にスライドして前記方向転換部の入口側に配置されることを特徴とする請求項５に記載の遊技機。
【請求項７】
前記第２回動内壁部は、前記第１回動位置のときに少なくとも前記方向転換部の底壁として構成され、前記第２回動位置のときには前記第１回動位置から前方側且つ上方側に変位して前記遊技球の前方側への流下を遮断すること特徴とする請求項５又は請求項６に記載の遊技機。
【請求項８】
前記方向転換部内において前記回動軸線を中心として回動可能に配置される略筒状の回動部材を備え、
前記回動部材の外周壁の一部が前記第１回動内壁部として構成され、前記外周壁の他部が前記第２回動内壁部として構成され、前記第１回動内壁部の周方向一方側には入口側開口部が設けられ、前記第１回動内壁部の周方向他方側には出口側開口部が設けられており、
前記第１回動内壁部及び前記第２回動内壁部が前記第１回動位置にあるときには、前記入口側開口部が前記下方誘導部に連通して配置されると共に前記出口側開口部が前記下流側通路と連通するように開放して配置され、
前記第１回動内壁部及び前記第２回動内壁部が前記第２回動位置にあるときには、前記第１回動内壁部及び前記第２回動内壁部がそれぞれ前記上流側通路の流路内に進入して前記遊技球の流下を堰き止めることを特徴とする請求項５から請求項７のいずれか一項に記載の遊技機。
【発明の詳細な説明】
【技術分野】
【０００１】
本発明は、遊技機に関するものである。
【背景技術】
【０００２】
パチンコ機などの遊技機には、矩形状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、遊技球を一時的に貯留し、該貯留した遊技球を内枠に設けられる発射装置の発射位置へ誘導する。そして、前枠には発射ハンドルが設けられ、該発射ハンドルの操作により発射装置を作動させる。
【０００３】
また、内枠の背面側には図柄表示装置の画像処理基板や、パチンコ機の動作を制御する主制御基板などを含む制御ユニットが組み付けられている。また、遊技場の遊技機島から供給された遊技球を貯留する補給タンク、補給タンクの遊技球を下流側へ誘導するタンクレール、タンクレールから球圧を分散させながら流下させる球通路、球通路より供給された遊技球を、所定の条件に基づいて賞球・貸球として遊技球を払い出す球払出装置が設けられている。球払出装置から球払出通路を経て払出口より払い出された遊技球は前枠に設けられた球受皿に一時的に貯留される。
【０００４】
遊技者が遊技中に、スタッフが球詰りの解消やパチンコ機の点検をするために前枠を開放する場合がある。このとき、球受皿が遊技球で満杯で球払出通路まで遊技球で満たされていたり、入賞により賞球の払出し動作が行われていたりすると、球払出通路を流下、或いは停留している遊技球が床などに零れ落ちる可能性がある。ここで、球払出装置から払い出された遊技球は遊技者の球となるため、球零れなどが許されない。
【０００５】
このような問題を解消するため、機枠のパチンコ球誘導部の開口部近傍に弾性部材の弾性力により可動する第１可動部を設け、前皿部扉を機枠より開放する際に第１可動部を傾斜させることで遊技球の落下を抑制し、前皿部扉に設けた弾性部材の弾性力により可動する第２可動部（シャッター）を当該前皿部扉の開放に合わせて前皿部後部に移動させて当該前皿部からの遊技球の落下を抑制する技術が提案されている（特許文献１参照）。
【先行技術文献】
【特許文献】
【０００６】
【特許文献１】特開２００２−１１９７１８公報
【発明の概要】
【発明が解決しようとする課題】
【０００７】
特許文献１の遊技機では、出口部分５０（第１可動部）の端部付近を回動中心として先端側（下流側）が上下に変位するように構成されており、先端側（下流側）が下方に位置する下り傾斜状態のときには前皿部扉側への流下が許容され、先端側が上方に位置する上り傾斜状態のときには、出口部分５０（第１可動部）付近で遊技球の流下が堰き止められるようになっている。しかしながら、この構成では、出口部分５０（第１可動部）付近を流下する遊技球の流下速度が速い場合や出口部分５０（第１可動部）の上を遊技球が流れている場合など、遊技球が出口部分５０（第１可動部）を乗り越えて零れ落ちやすいケースが懸念される。特に、後続の遊技球からの球圧が大きい場合にはこの問題が一層深刻となる。また、特許文献１の構成では、出口部分５０（第１可動部）を片持ち状に回動可能に支持しているため、出口部分５０（第１可動部）への負荷が大きく、耐久性の問題も懸念される。
【０００８】
本発明は、上述した課題を解決するためになされたものであり、内枠側から前枠側に遊技球を流下させ得る球払出通路を備えた遊技機において、前枠開放時に遊技球の零れ落ちがより生じにくい構成を提供することを目的とする。
【課題を解決するための手段】
【０００９】
本発明は、遊技盤を保持する内枠と、前記遊技盤の前面側において前記内枠に対し開閉可能に設けられた前枠と、前記内枠側に設けられた球払出装置と、前記内枠側に設けられた上流側通路と、前記前枠側に設けられた下流側通路とを有し、前記内枠の前記球払出装置から払い出された遊技球を前記上流側通路及び前記下流側通路によって前記前枠に設けられた球受皿に誘導する球払出通路と、を備え、前記前枠の閉塞時に前記下流側通路が前記上流側通路に隣接して配置され、前記前枠の開放時には前記下流側通路が前記上流側通路から離間する遊技機であって、前記上流側通路に、前記遊技球の流下方向と交差する所定の回動軸線を中心として回動可能に配置されると共に前記回動軸線から所定距離離れた位置において前記回動軸線を中心とする周方向に沿って配され、当該上流側通路の一部として前記遊技球を案内する第１回動位置と当該上流側通路を通る前記遊技球の流下を遮断する第２回動位置とに変位する回動内壁部と、前記回動内壁部を回動可能に保持する保持部と、前記回動内壁部を前記第２回動位置側に付勢する付勢手段と、が設けられており、前記前枠の閉塞時には、当該前枠に設けられた所定の押圧部によって前記回動内壁部又は前記回動内壁部に連結された部位が押圧されることで前記回動内壁部が前記付勢手段による付勢に抗して前記第１回動位置に設定され、前記前枠の開放時には前記押圧部が前記回動内壁部から離間することで押圧が解除されて前記回動内壁部が前記第２回動位置に設定されることを特徴としている。
【００１０】
また、本発明は、前記遊技盤の盤面と直交する方向を前後方向とし遊技者側を前方側としたとき、前記回動内壁部が、前記第２回動位置のときに前記上流側通路の通路内に進入して当該上流側通路を流下する前記遊技球を堰き止め、前記第１回動位置のときに前記第２回動位置よりも前方側に退避するように構成してもよい。
【００１１】
また、本発明は、前記回動内壁部として、前記回動軸線を中心として回動可能に構成された第１回動内壁部及び第２回動内壁部が設けられていてもよい。この場合、前記第１回動内壁部及び前記第２回動内壁部がそれぞれ、前記第１回動位置と前記第２回動位置とで変位する構成をなし、前記第１回動内壁部は、前記第２回動位置にあるときに前記上流側通路の所定位置を遮断し、前記第２回動内壁部は、前記第２回動位置にあるときに前記上流側通路における前記第１回動内壁部による遮断位置よりも下流位置を遮断するように構成することが望ましい。
【００１２】
また、上記のように第１回動内壁部及び第２回動内壁部を設けた場合、前記第１回動内壁部と前記第２回動内壁部とが一体的に連結されていてもよい。この場合、前記第１回動内壁部及び前記第２回動内壁部の少なくともいずれか一方に前記回動軸線を中心とする回動半径方向外側に延出する延出部が連結され、前記第１回動内壁部及び前記第２回動内壁部は、前記前枠の閉塞時に前記延出部が前記押圧部によって押圧されることでそれぞれ前記第１回動位置に設定され、前記延出部が前記内枠側に設けられたベース部材と当接することで所定回動範囲を超える回動が規制されるように構成されていることが望ましい。
【００１３】
また、上記のように第１回動内壁部及び第２回動内壁部を設けた場合において、前記遊技盤の盤面と直交する方向を前後方向とし遊技者側を前方側としたとき、前記上流側通路が、前記遊技球を下方に誘導する下方誘導部と、前記下方誘導部によって誘導された前記遊技球を前方側に向けて方向転換する方向転換部とを備えていてもよい。そして、前記第１回動内壁部が、前記第２回動位置にあるときに前記方向転換部の入口側において前記遊技球の下方側への流下を遮断し、前記第２回動内壁部が、前記第２回動位置にあるときに前記方向転換部の出口側において前記遊技球の前方側への流下を遮断するように構成されていることが望ましい。
【００１４】
また、上記のように方向転換部を設けた場合、前記第１回動内壁部は、前記第１回動位置のときに前記方向転換部の出口側部分の天井壁として構成され、前記第２回動位置のときに前記第１回動位置よりも後方にスライドして前記方向転換部の入口側に配置されるように構成されていることが望ましい。
【００１５】
また、上記のように方向転換部を設けた場合、前記第２回動内壁部は、前記第１回動位置のときに少なくとも前記方向転換部の底壁として構成され、前記第２回動位置のときには前記第１回動位置から前方側且つ上方側に変位して前記遊技球の前方側への流下を遮断するように構成されていることが望ましい。
【００１６】
また、上記のように方向転換部を設けた場合、当該方向転換部内において前記回動軸線を中心として回動可能に配置される略筒状の回動部材を設け、当該回動部材の外周壁の一部を前記第１回動内壁部として構成し、前記外周壁の他部を前記第２回動内壁部として構成し、前記第１回動内壁部の周方向一方側に入口側開口部を設け、前記第１回動内壁部の周方向他方側に出口側開口部を設けるようにしてもよい。この場合、前記第１回動内壁部及び前記第２回動内壁部が前記第１回動位置にあるときに、前記入口側開口部が前記下方誘導部に連通して配置されると共に前記出口側開口部が前記下流側通路と連通するように開放して配置され、前記第１回動内壁部及び前記第２回動内壁部が前記第２回動位置にあるときに、前記第１回動内壁部及び前記第２回動内壁部がそれぞれ前記上流側通路の流路内に進入して前記遊技球の流下を堰き止めるように構成されていることが望ましい。
【発明の効果】
【００１７】
本発明では、前枠の閉塞時に前枠側の下流側通路が内枠側の上流側通路に隣接して配置され、前枠の開放時には下流側通路が上流側通路から離間する構成をなしている。更に、
上流側通路には、回動内壁部とこの回動内壁部を付勢する付勢手段とが設けられており、回動内壁部は、所定の回動軸線を中心として回動可能に配置されると共にその回動軸線から所定距離離れた位置において回動軸線を中心とする周方向に沿って配され、当該上流側通路の一部として遊技球を案内する第１回動位置と当該上流側通路を通る前記遊技球の流下を遮断する第２回動位置とに変位する構成をなしている。また、付勢手段は、この回動内壁部を第２回動位置側に付勢するように構成されている。そして、前枠の閉塞時には、当該前枠に設けられた所定の押圧部によって回動内壁部又は回動内壁部に連結された部位が押圧されることで回動内壁部が付勢手段による付勢に抗して第１回動位置に設定され、前枠の開放時には押圧部が回動内壁部から離間することで押圧が解除されて回動内壁部が第２回動位置に設定されるようになっている。
このようにすると、前枠の閉塞時には下流側通路と上流側通路とが隣接すると共に回動内壁部が第１回動位置（上流側通路の一部として遊技球を案内する位置）に設定されるため、内枠側から前枠側に遊技球を流下させることができる。一方、前枠の開放時には、押圧部による押圧が解除され、付勢手段によって回動内壁部が第２回動位置（遊技球の流下を遮断する位置）に設定されるため、下流側通路と上流側通路とが離間しても、上流側通路から遊技球が零れ落ちにくくなる。また、回動内壁部は、当該回動内壁部から離れた位置の回動軸線を中心とする周方向に沿って配置され、当該回動軸線を中心とする回転運動により第１回動位置から第２回動位置に移動するように構成されているため、第１回動位置のときに上流側通路の壁部として機能している部分について、少ない回動動作でより多くの部位を遮断部材として機能させることができる。また、回動内壁部を全体的にスライドさせて上流側通路内に進入させることができるため、第２回動位置のときに球圧により強い構成となる。
【００１８】
また、本発明は、回動内壁部として、回動軸線を中心として回動可能に構成された第１回動内壁部及び第２回動内壁部が設けられていてもよい。そして、この場合、第１回動内壁部及び第２回動内壁部がそれぞれ、第１回動位置と第２回動位置とで変位する構成をなし、第１回動内壁部が第２回動位置にあるときに前記上流側通路の所定位置を遮断し、第２回動内壁部が第２回動位置にあるときに上流側通路における第１回動内壁部による遮断位置よりも下流位置を遮断するように構成されていることが望ましい。
このようにすると、第１回動内壁部によって上流側を遮断すると共に第２回動内壁部によって下流側を遮断することができるため、前枠の開放時に上流側通路を流下する遊技球を二段階に分けて効果的に遮断できる。特に、遊技球を複数位置で堰き止めることができるため、遊技球の球圧を分散することができ、特に、上流側通路を多量の遊技球が流下する場合に有利となる。
【００１９】
また、上記のように第１回動内壁部及び第２回動内壁部を設ける場合において、遊技盤の盤面と直交する方向を前後方向とし遊技者側を前方側としたとき、第１回動内壁部が、第２回動位置のときに上流側通路の通路内に進入して当該上流側通路を流下する遊技球を堰き止め、第１回動位置のときに第２回動位置よりも前方側に退避するように構成してもよい。このようにすると、第１回動内壁部をそれほど後方側に移動させずに済むため、上流側通路の後方側の構成をよりコンパクトにすることができる。
【００２０】
また、上記のように第１回動内壁部及び第２回動内壁部を設けた場合、前記第１回動内壁部と前記第２回動内壁部とが一体的に連結されていてもよい。この場合、前記第１回動内壁部及び前記第２回動内壁部の少なくともいずれか一方に前記回動軸線を中心とする回動半径方向外側に延出する延出部が連結され、前記第１回動内壁部及び前記第２回動内壁部は、前記前枠の閉塞時に前記延出部が前記押圧部によって押圧されることでそれぞれ前記第１回動位置に設定され、前記延出部が前記内枠側に設けられたベース部材と当接することで所定回動範囲を超える回動が規制されるように構成されていることが望ましい。
このようにすると、前枠が閉塞される際に第１回動内壁部及び第２回動内壁部を第１回動位置側に一体的に変位させることができ、且つ必要以上の回動を規制して正確に位置決めしやすくなる。また、前枠の開放時にはこれら回動内壁部を一体的に変位させて両部材を迅速に第２回動位置に設定しやすくなる。
【００２１】
また、上記のように第１回動内壁部及び第２回動内壁部を設けた場合において、遊技盤の盤面と直交する方向を前後方向とし遊技者側を前方側としたとき、上流側通路が、遊技球を下方に誘導する下方誘導部と、下方誘導部によって誘導された遊技球を前方側に向けて方向転換する方向転換部とを備えていてもよい。そして、この場合、第１回動内壁部が、第２回動位置にあるときに方向転換部の入口側において遊技球の下方側への流下を遮断し、第２回動内壁部が、第２回動位置にあるときに方向転換部の出口側において遊技球の前方側への流下を遮断するように構成されていることが望ましい。
この構成では、前枠の閉塞時に方向転換部の入口側が遮断されるため、前枠の閉塞時に方向転換部内に遊技球が流入し続けなくなり、方向転換部内に遊技球が詰まりすぎなくなる。また、方向転換部で方向が転換されて速度が抑えられた遊技球を出口側で遮断しているため、第２回動内壁部によって出口側を遮断しようとする直前に遊技球が第２回動内壁部付近を突き抜けるといったことが生じにくくなり、出口側でより確実に遊技球を堰き止めやすくなる。
【００２２】
また、上記のように方向転換部を設けた場合、第１回動内壁部は、第１回動位置のときに方向転換部の出口側部分の天井壁として構成され、第２回動位置のときに第１回動位置よりも後方にスライドして方向転換部の入口側に配置されるように構成されていることが望ましい。このように天井壁をスライドさせて通路内に進入させる構成とすると、遊技球が堰き止め可能となる位置までの距離が短くなり、小さな動きで迅速に遊技球を堰き止めることができる。
【００２３】
また、上記のように方向転換部を設けた場合、第２回動内壁部は、第１回動位置のときに少なくとも方向転換部の底壁として構成され、第２回動位置のときには第１回動位置から前方側且つ上方側に変位して遊技球の前方側への流下を遮断するように構成されていることが望ましい。このように底壁をスライドさせて通路内に進入させる構成とすると、遊技球が堰き止め可能となる位置までの距離が短くなり、小さな動きで迅速に遊技球を堰き止めることができる。また、第２回動内壁部が前方側に移動しながら通路内に進入するため、前枠閉塞時に第２回動内壁部付近を前方側に流れる遊技球を捕らえやすく、前方側への球零れがより生じにくくなる。
【００２４】
また、上記のように方向転換部を設けた場合、当該方向転換部内において回動軸線を中心として回動可能に配置される略筒状の回動部材を設け、当該回動部材の外周壁の一部を第１回動内壁部として構成し、外周壁の他部を第２回動内壁部として構成し、第１回動内壁部の周方向一方側に入口側開口部を設け、第１回動内壁部の周方向他方側に出口側開口部を設けるようにしてもよい。そして、この場合、第１回動内壁部及び第２回動内壁部が第１回動位置にあるときに、入口側開口部が下方誘導部に連通して配置されると共に出口側開口部が下流側通路と連通するように開放して配置され、第１回動内壁部及び第２回動内壁部が第２回動位置にあるときに、第１回動内壁部及び第２回動内壁部がそれぞれ上流側通路の流路内に進入して遊技球の流下を堰き止めるように構成されていることが望ましい。
このようにすると、前枠の閉塞時に方向転換部内を遊技球が通過可能となり、前枠の開放時には方向転換部の入口側及び出口側がいずれも迅速に遮断されて遊技球が通過不能となる構成をよりコンパクトに且つより簡易に実現できる。
【図面の簡単な説明】
【００２５】
【図１】図１は、本発明の第１実施形態に係る遊技機を概略的に例示する正面図である。
【図２】図２は、本発明の第１実施形態に係る遊技機の背面図である。
【図３】図３は、本発明の第１実施形態に係る遊技機において前枠を開放した状態を概略的に示す斜視図である。
【図４】図４は、第１実施形態に係る遊技機に用いられる球払出通路を例示する斜視図である。
【図５】図５は、第１実施形態に係る遊技機で用いられる上流側通路を例示する斜視図である。
【図６】図６は、図５の上流側通路の分解斜視図である。
【図７】図７は、第１実施形態に係る遊技機で用いられる上流側通路の正面図であり、回動内壁部が第１回動位置にあるときの様子を示すものである。
【図８】図８は、第１実施形態に係る遊技機で用いられる上流側通路の正面図であり、回動内壁部が第２回動位置にあるときの様子を示すものである。
【図９】図９（Ａ）は、図７のＢ−Ｂ断面図である。また、図９（Ｂ）は図８のＤ−Ｄ断面図である。
【図１０】図１０（Ａ）は、第１実施形態に係る遊技機において上流側通路と下流側通路とが隣接した状態（前枠が閉じたときの状態）を示す断面図であり、これらについて図７のＡ−Ａ位置で切断した状態を示すものである。また、図１０（Ｂ）は、図８のＣ−Ｃ断面図である。
【図１１】図１１は、本実施形態で用いられる上流側通路の一部をなす方向転換部を示す斜視図であり、図１１（Ａ）は、回動内壁部が第１回動位置にあるときの様子を示す図であり、図１１（Ｂ）は、回動内壁部が第２回動位置にあるときの様子を示す図である。
【図１２】図１２は、本実施形態で用いられる上流側通路を図４とは異なる方向から見た斜視図であり、図１２（Ａ）は、回動内壁部が第１回動位置にあるときの様子を示す図であり、図１２（Ｂ）は、回動内壁部が第２回動位置にあるときの様子を示す図である。
【図１３】図１３は、球払出通路について一部を断面として示す斜視一部断面図であり、図１３（Ａ）は上流側通路と下流側通路とが隣接した状態（前枠が閉じたときの状態）を示す図であり、図１３（Ｂ）は、下流側通路が離間した後の上流側通路の状態（前枠が開いたときの状態）を示す図である。
【発明を実施するための形態】
【００２６】
[第１実施形態]
以下、本発明に係る遊技機を具現化した第１実施形態について、図面を参照して説明する。
（遊技機の概要）
まず、図１、図２等を参照して第１実施形態に係る遊技機の概要を説明する。なお、図１は、本発明の第１実施形態に係る遊技機を概略的に例示する正面図である。また、図２は、図１の遊技機の背面図である。
【００２７】
図１及び図２に示すように、遊技機（以下、パチンコ機ともいう）１は、そのパチンコ機１の外郭を形成する額縁状の外枠２を備え、その外枠２の前面に一側をヒンジ２ａ，２ａを介して軸支して、その前面側に向かって片開き可能に内枠３が支持されている。そして、内枠３には、ガイドレール８により遊技領域５ａが形成された遊技盤５が装着され、その下方に発射機構（図示せず）が設けられている。また、内枠３の前方側にはガラス枠６及び球皿枠７を備えた前枠４が設けられている。前枠４の一部をなすガラス枠６は、ガラスなどの透明板を備えてなるものであり、ヒンジ２ｂを介して球皿枠７に開閉自在に取り付けられている。また、球皿枠７は、ヒンジ２ｃを介して内枠３に開閉自在に取り付けられており、その前面には遊技球を貯留し、且つ貯留した遊技球を整流して発射機構に供給する球受皿９が設けられている。また、この球受皿９の右下側には、遊技球の発射力を調節する発射ハンドル１０が設けられている。
【００２８】
なお、本明細書において、パチンコ機１における上下方向とは遊技盤５の盤面に沿う態様で遊技領域５ａを遊技球が流下する方向（図１等に示す代表例では鉛直方向）を意味する。また、左右方向とは遊技盤５の盤面に沿う態様で上下方向に直交する方向（図１等に示す代表例では水平方向）を意味する。また、前後方向とは遊技盤５の盤面に直交する方向（図１等に示す代表例では水平方向）を意味し、遊技盤５の遊技者側が前方側であり、遊技盤５の奥側（遊技領域５ａの反対側）が後方側である。
【００２９】
内枠３は、図２に示すように、アルミなどの金属や合成樹脂により縦長方形状で、中央に窓部１１が開設された枠状に形成されている。窓部１１の背面上方には、遊技機島の補給経路（図示せず）から補給される遊技球を貯留する補給タンク１２が設けられている。また、補給タンク１２の下流側に遊技球を整列して流下させる直線及び屈曲状の球誘導路１３が設けられている。また、その球誘導路１３の下流側には所定個数の遊技球を計数して払い出す球払出装置１４が設けられている。そして、その球払出装置１４の下流側には、該球払出装置１４から払出された遊技球を払出口４ａ（図１、図３参照）から球受皿９（図１参照）へと誘導する球払出通路１５が設けられている。
【００３０】
（球払出通路の構成）
本実施形態の特徴的部分である球払出通路１５について説明する。
図３は、本発明の第１実施形態に係る遊技機において前枠を開放した状態を概略的に示す斜視図である。図４は、第１実施形態に係る遊技機に用いられる球払出通路を例示する斜視図である。図５は、第１実施形態に係る遊技機で用いられる上流側通路を例示する斜視図である。図６は、図５の上流側通路の分解斜視図である。図７は、第１実施形態に係る遊技機で用いられる上流側通路の正面図であり、回動内壁部が第１回動位置にあるときの様子を示すものである。図８は、第１実施形態に係る遊技機で用いられる上流側通路の正面図であり、回動内壁部が第２回動位置にあるときの様子を示すものである。図９（Ａ）は、図７のＢ−Ｂ断面図である。また、図９（Ｂ）は図８のＤ−Ｄ断面図である。図１０（Ａ）は、本発明の第１実施形態に係る遊技機において上流側通路と下流側通路とが隣接した状態（前枠が閉じたときの状態）を示す断面図であり、これらについて図７のＡ−Ａ位置で切断した状態を示すものである。また、図１０（Ｂ）は、図８のＣ−Ｃ断面図である。図１１は、本実施形態で用いられる上流側通路の一部をなす方向転換部を示す斜視図であり、図１１（Ａ）は、回動内壁部が第１回動位置にあるときの様子を示す図であり、図１１（Ｂ）は、回動内壁部が第２回動位置にあるときの様子を示す図である。図１２は、本実施形態で用いられる上流側通路を図４とは異なる方向から見た斜視図であり、図１２（Ａ）は、回動内壁部が第１回動位置にあるときの様子を示す図であり、図１２（Ｂ）は、回動内壁部が第２回動位置にあるときの様子を示す図である。図１３は、球払出通路について一部を断面として示す斜視一部断面図であり、図１３（Ａ）は上流側通路と下流側通路とが隣接した状態（前枠が閉じたときの状態）を示す図であり、図１３（Ｂ）は、下流側通路が離間した後の上流側通路の状態（前枠が開いたときの状態）を示す図である。
【００３１】
本実施形態に係る遊技機１は、上述したように遊技盤５を保持する内枠３の前面側において前枠４が開閉可能に取り付けられており、内枠３側に球払出装置１４が設けられている。球払出通路１５は、この球払出装置１４から排出される遊技球を内枠３側から前枠４側に導くように構成されており、球払出装置１４から払い出された遊技球を前枠４に設けられた球受皿９に導くように機能している。
【００３２】
図３に示すように、球払出通路１５は、内枠３側に設けられた上流側通路１５ａと、前枠４側に設けられた下流側通路１５ｂとを備えた構成をなしており、図４に示すように、前枠４の閉塞時には下流側通路１５ｂが上流側通路１５ａに隣接して配置され、図３のように、前枠４の開放時には下流側通路１５ｂが上流側通路１５ａから離間するように構成されている。
【００３３】
図５に示すように上流側通路１５ａは一体的なユニットとして構成されており、図５、図６に示すように、球払出装置１４から排出された遊技球を流入させて下方に誘導する誘導部１６と、この誘導部１６からの遊技球を前方に方向転換する方向転換部３０とを備えている。そして、方向転換部３０には、所定の回動軸線を中心として回動可能に配置された回動部材６０と、この回動部材６０を保持する保持部材４０とが設けられており、更に、この回動部材６０を所定回動方向に付勢するねじりばね７０（図６）が設けられている。
【００３４】
図７、図９、図１０に示すように、誘導部１６は、球払出装置１４からの遊技球を斜め下方に導く導入部１８と、この導入部１８からの遊技球を下方に導く上下方向の下方誘導部２０とを備えている。図１０に示すように、導入部１８は、上端部に形成された開口部１７ａから下方側且つ前方側に続く流路が構成されており、この導入部１８の下方側に下方誘導部２０が連通している。また、下方誘導部２０は、上下方向に流路が構成されており、下端部に形成された排出口１７ｂを介して方向転換部３０と連通している。
【００３５】
方向転換部３０は、図４、図１０（Ａ）に示すように、前枠４（図３等）が閉塞しているときに上述の誘導部１６からの遊技球を受け入れて前方側に排出する構成をなしており、図５、図６に示すように、保持部材４０に対して回動部材６０が回動可能に組み付けられた構成をなしている。
【００３６】
図４、図５に示すように、回動部材６０は方向転換部３０内において回動軸線Ｇ１を中心として回動可能に配置されており、全体として一部が開放した略円筒形状をなしている。この回動部材６０は、図６、図１０に示すように、外周壁の一部が第１回動内壁部６１として構成されており、外周壁の他部（第１回動内壁部６１以外の部分）が第２回動内壁部６２として構成されている。そして、第１回動内壁部６１の周方向一方側（図１０（Ａ）において時計回り側）に入口側開口部６４ａが設けられており、第１回動内壁部６１の周方向他方側（図１０（Ａ）において反時計回り側）に出口側開口部６４ｂが設けられている。
【００３７】
図１０に示すように、第１回動内壁部６１は、断面（回動軸線Ｇ１と直交する断面）の内壁部が回動軸線Ｇ１を中心とする周方向に沿って略円弧状となるように構成されており（具体的には内壁面が円筒面として構成されており）、回動軸線Ｇ１を中心として回動可能に配置されている。また、第１回動内壁部６１は、断面（回動軸線Ｇ１と直交する断面）の外壁部も回動軸線Ｇ１を中心とする周方向に沿って略円弧状となるように構成されており、具体的には、図１０（Ｂ）のように第２回動位置のときに遊技球と当接し得る外壁面が円筒面として構成されている。また、第２回動内壁部６２は、断面（回動軸線Ｇ１と直交する断面）の内壁部が回動軸線Ｇ１を中心とする周方向に沿って略円弧状となるように構成されており、回動軸線Ｇ１を中心として回動可能に配置されている。また、図６、図１１に示すように、回動部材６０は、第１回動内壁部６１及び第２回動内壁部６２のいずれもが回動軸線Ｇ１（図１１）の方向に延びる形態で回動軸線Ｇ１から離れた位置に配置されており、これら第１回動内壁部６１及び第２回動内壁部６２の幅方向両端部が側壁部６３ａ、６３ｂにそれぞれ連結されて一体化されている。なお、本実施形態では、回動軸線Ｇ１と平行な方向を幅方向としている。
【００３８】
また、図６に示すように、回動部材６０は、側壁部６３ａの外側に軸部６５が回動軸線Ｇ１（図７等）に沿って突出しており、側壁部６３ｂの外側には軸部６６が回動軸線Ｇ１に沿って突出した形態をなしている。一方の軸部６５は、環状に形成された軸受部材３２の孔部３２ａ内に挿入されるようになっており、この軸受部材３２が保持部材４０の一方の側壁部４１に形成された溝部４１ａに嵌め合わされる構成で側壁部４１に固定されている。即ち、軸部６５は、側壁部４１に固定される軸受部材３２を軸受として回転可能に支持されている。具体的には、軸受部材３２の外周面に形成された環状の溝が側壁部４１の溝部４１ａに上方側から嵌り込んでおり、このように軸受部材３２が嵌り込んだ状態で上方側から押さえ部材９０によって押さえつけられている。この押さえ部材９０は、溝部４１ａに組み付けられた軸受部材３２の上方を押さえた形態でねじ等の締結部材９１、９２によって側壁部４１に固定されている。このようにして軸部６５が側壁部４１の所定位置に回動可能に保持（軸受部材３２を介して回動可能に保持）される（図７、図１１も参照）。
【００３９】
また、回動部材６０を保持する保持部材４０は、図６に示すように、上述の側壁部４１、４２の間に後壁部４３、底壁部４４が連結されており、側壁部４１、４２が互いに対向して配置されると共に、これら側壁部４１、４２の後端部に後壁部４３が連結されている。また底壁部４４の幅方向中央部付近には、底壁部４４の前端側から後端部寄りの位置まで前後方向に延びる切欠部４４ａが形成されており、この切欠部４４ａの内部に第２回動内壁部６２から延出する延出部６９が嵌まり込むようになっている。延出部６９は、回動部材６０の回動に伴い切欠部４４ａ内を移動するようになっている。
【００４０】
また、図６に示すように、他方の軸部６６は、環状に形成された軸受部材３４の孔部３４ａ内に挿入されるようになっており、この軸受部材３４が保持部材４０の一方の側壁部４２に形成された孔部４２ａに嵌め合わされる構成で側壁部４２に固定されている。即ち、軸部６６は、側壁部４２に固定される軸受部材３４を軸受として回転可能に支持されている。このようにして軸部６６が側壁部４２の所定位置に回動可能に保持（軸受部材３４を介して回動可能に保持）される（図７、図１１も参照）。
【００４１】
また、図６、図９に示すように、回動部材６０の軸部６６内には、ねじりばね７０が組み付けられている。図９に示すように、ねじりばね７０は、金属線材が巻き回されたコイル部７３とこのコイル部７３の両端側から延びる延出部７１、７２とを備えている。コイル部７３は、軸部６６内において回動軸線Ｇ１（図９）に沿うように突出して形成された突起６８の周囲に嵌め合わされており、一方の延出部７１が保持部材４０の側壁部４２に形成された突起部４２ｂに係止されており、この突起部４２ｂによって側壁部４２に対する延出部７１の所定方向（図９では反時計方向）の回動が規制されている。また、他方の延出部７２が軸部６６に係止（具体的には軸部６６内に形成された係止溝６７に係止）されており、延出部７２は軸部６６の所定位置に保持される形態でこの軸部６６と一体的に回動するようになっている。
【００４２】
このねじりばね７０は、「付勢手段」の一例に相当するものであり、図９（Ａ）に示すように、延出部７１と延出部７２とが接近する位置関係となったときにこれら延出部７１、７２が離間する方向の付勢力が高まり、図９（Ｂ）のように延出部７１と延出部７２とが若干離間した位置関係となったときにこれら延出部７１、７２が離間する方向の付勢力が若干弱まるようになっている。なお、本実施形態では、図９（Ａ）（Ｂ）のいずれのときにも、延出部７１、７２が離間する方向の付勢力が生じるようになっており、一方の延出部７１が保持部材の突起部４２ｂによって係止されているため、図９（Ａ）（Ｂ）のいずれのときも、延出部７２には保持部材４０に対して所定方向（図１０では時計回り方向）に回転しようとする付勢力が生じるようになっている（即ち、図９（Ａ）（Ｂ）のいずれのときも、軸部６６が保持部材４０に対して所定回転方向（図１０では時計回り方向）に付勢されている）。また、図６に示すように、軸部６６には円形状のカバー部３８がねじ等の締結部材３９によって組み付けられており、ねじりばね７０の外側がこのカバー部３８によって被覆されている。
【００４３】
次に、下流側通路１５ｂについて説明する。図３、図４に示すように、下流側通路１５ｂは、底壁部９１とこの底壁部９１の両側部からそれぞれ上方に立ち上がる一対の側壁部９２、９３を備えた溝状形態をなしており、図４に示すように溝幅が回動部材６０の出口側開口部６４ｂの開口幅よりも若干大きく構成されている。この下流側通路１５ｂは、前枠４（図３）の閉塞時には図４に示すように上流側通路１５ｂに隣接して配置され、前後方向に沿って流路が構成され、後方側の上流側通路１５ａからの遊技球を前方側の払出口４ａ（図１、図３）に導くように機能している。
【００４４】
（球払出通路の動作）
次に、球払出通路１５の動作について説明する。
本実施形態では、第１回動内壁部６１及び第２回動内壁部６２を備えた回動部材６０が保持部材４０（保持部材４０は、「保持部」の一例に相当する）によって回動可能に保持されており、且つねじりばね７０によって所定回動方向（第１回動内壁部６１及び第２回動内壁部６２が、図１０（Ａ）、図１１（Ａ）に示す第１回動位置から図１０（Ｂ）、図１１（Ｂ）に示す第２回動位置側に移動する方向）に付勢されている。
【００４５】
本実施形態では、図５、図１０に示すように、第２回動内壁部６２から半径方向外側（具体的には回動軸線Ｇ１を中心とする回動半径方向外側）に延出する構成で延出部が連結されている。そして、図４、図１０（Ａ）に示すように、前枠４（図３等）の閉塞時には、当該前枠４に設けられた押圧部９９によって第２回動内壁部６２に連結された延出部６９が押圧されることで第１回動内壁部６１及び第２回動内壁部６２がねじりばね７０（図９等）による付勢に抗して第１回動位置に設定されるようになっている（図７、図９（Ａ）、図１１（Ａ）、図１２（Ａ）も参照）。また、回動部材６０を保持する保持部材４０の後壁部４３において下方側の位置には、切欠部４４ａの後端部の壁部として構成される第１当接壁４３ａと上方側に面する第２当接壁４３ｂとが設けられており、上述のように押圧部９９によって延出部６９が押圧されて第１回動内壁部６１及び第２回動内壁部６２がそれぞれ第１回動位置に設定されたとき、所定の一方向（図１０（Ａ）では反時計方向）に回動してある程度の回動位置となったときに延出部６９が第１当接壁４３ａと当接するようになっており、これにより当該方向（図１０（Ａ）の反時計方向）における所定回動範囲を超える回動が規制されている。
【００４６】
一方、図３、図５、図１０（Ｂ）に示すように、前枠４（図３等）の開放時には、押圧部９９が第１回動内壁部６１及び第２回動内壁部６２から離間し、図３のように押圧部９９が延出部６９から離れることで押圧部９９による回動部材６０に対する押圧が解除されるようになっている。このように回動部材６０による押圧が解除されると、ねじりばね７０（図９等）の付勢によって回動部材６０が所定方向（第１回動内壁部６１及び第２回動内壁部６２を第２回動位置に移動する方向）に回動され、これら第１回動内壁部６１及び第２回動内壁部６２がいずれも遊技球が遮断可能となる第２回動位置に設定されることとなる。また、上述のように押圧部９９による延出部６９の押圧が解除されて第１回動内壁部６１及び第２回動内壁部６２がそれぞれ第２回動位置に設定されるとき、所定の他方向（図１０では時計方向）に回動してある程度の回動位置となったときに第２回動内壁部６２の外壁部が第２当接壁４３ｂと当接するようになっており、これにより当該方向（図１０の時計方向）における所定回動範囲を超える回動が規制されている（図１３（Ｂ）も参照）。
【００４７】
回動部材６０を構成する回動内壁部の内、第１回動内壁部６１は、図１０（Ａ）等に示すように、前枠４（図３等）の閉塞時には押圧部９９による延出部６９に対する上述の押圧動作により、上流側通路１５ａの一部として遊技球を案内する第１回動位置に設定される。一方、図１０（Ｂ）に示すように、前枠４の開放時には押圧部９９の上述の離間動作により、上流側通路１５ａを通る遊技球の流下を遮断する第２回動位置に設定される。より具体的には、図１０（Ａ）のように、第１回動内壁部６１は、第１回動位置のときに、第２回動位置よりも前方側に退避して方向転換部３０の出口側部分の天井壁として構成されるようになっている（図１３（Ａ）も参照）。一方、図１０（Ｂ）に示すように、第２回動位置のときには、第１回動位置よりも後方にスライドして上流側通路１５ａの通路内に進入し、方向転換部３０の入口側に配置されるようになっている。これにより、上流側通路１５ａを流下する遊技球が方向転換部３０の入口側（より詳しくは方向転換部３０に進入する前位置）で堰き止められることとなる（図１３（Ｂ）も参照）。
【００４８】
回動部材６０を構成する回動内壁部の内、第２回動内壁部６２は、図１０（Ａ）等に示すように、前枠４（図３等）の閉塞時には押圧部９９による延出部６９に対する上述の押圧動作により、上流側通路１５ａの一部として遊技球を案内する第１回動位置に設定される。一方、図１０（Ｂ）に示すように、前枠４の開放時には押圧部９９の上述の離間動作により、上流側通路１５ａを通る遊技球の流下を遮断する第２回動位置に設定される。
【００４９】
より具体的には、図１０（Ａ）のように、第２回動内壁部６２は、下方誘導部２０に隣接可能な第１壁部６２ａとこの第１壁部６２と異なる方向（略直交する方向）に延びる第２壁部６２ｂとこの第１壁部６２ａと第２壁部６２ｂとの間で湾曲する湾曲壁部６２ｃとを備えており、内壁部が略Ｌ字状（図１０の方向では略逆Ｌ字状）となるように折れ曲がった形態をなしている。この第２回動内壁部６２は、第２回動位置よりも上流側（後方側）に回動して第１回動位置に設定されるようになっており、第１回動位置のときには、第１壁部６２ａが方向転換部３０の流路後壁として構成され、第２壁部６２ｂが方向転換部３０の流路底壁として構成され、湾曲壁部６２ｃは、これら流路後壁と流路底壁とを円滑に連続させる誘導壁として構成されるようになっている（図１３（Ａ）も参照）。一方、図１０（Ｂ）に示すように、第１回動位置から第２回動位置に変位するときには、第１回動位置よりも下流側（具体的には第１回動位置よりも前方側且つ上方側）に変位して上流側通路１５ａの通路内に進入し、方向転換部３０の出口側に配置されるようになっている。これにより、上流側通路１５ａを流下する遊技球が第１回動内壁部６１による遮断位置よりも下流位置（具体的には方向転換部３０の出口側）で堰き止められることとなる（図１３（Ｂ）も参照）。
【００５０】
このように構成されているため、図１０（Ａ）図１３（Ａ）に示すように第１回動内壁部６１及び第２回動内壁部６２が第１回動位置にあるときに、入口側開口部６４ａが下方誘導部２０に連通して配置されると共に出口側開口部６４ｂが下流側通路１５ｂと連通するように開放して配置され、球払出装置１４（図２）からの遊技球が誘導部１６及び方向転換部３０を通って下流側通路１５ｂに円滑に排出されることとなる。一方、図１０（Ｂ）図１３（Ｂ）に示すように第１回動内壁部６１及び第２回動内壁部６２が第２回動位置に変位したときには、第１回動内壁部６１及び第２回動内壁部６２がそれぞれ上流側通路１５ａの流路内に進入して遊技球の流下を堰き止め、誘導部１６から下流側通路１５ｂまでの流路が２位置で遮断されることとなる。
【００５１】
（第１実施形態の主な効果）
本実施形態に係る遊技機１では、前枠４の閉塞時には下流側通路１５ｂと上流側通路１５ａとが隣接すると共に回動内壁部（第１回動内壁部６１及び第２回動内壁部６２）が第１回動位置（上流側通路１５ａの一部として遊技球を案内する位置）に設定されるため、内枠３側から前枠４側に遊技球を流下させることができる。一方、前枠４の開放時には、押圧部による押圧が解除され、ねじりばね７０によって回動内壁部（第１回動内壁部６１及び第２回動内壁部６２）が第２回動位置（遊技球の流下を遮断する位置）に設定されるため、下流側通路１５ｂと上流側通路１５ａとが離間しても、上流側通路１５ａから遊技球が零れ落ちにくくなる。また、回動内壁部（第１回動内壁部６１及び第２回動内壁部６２）はいずれも、各回動内壁部から離れた位置の回動軸線Ｇ１を中心とする周方向に沿って配置され、当該回動軸線Ｇ１を中心とする回転運動により第１回動位置から第２回動位置に移動するように構成されているため、第１回動位置のときに上流側通路１５ａの壁部として機能している部分について、少ない回動動作でより多くの部位を遮断部材として機能させることができる。また、回動内壁部（第１回動内壁部６１及び第２回動内壁部６２）を全体的にスライドさせて上流側通路１５ａ内に進入させることができるため、第２回動位置のときに球圧により強い構成となる。
【００５２】
また、本実施形態において、第２回動内壁部６２は、第２回動位置から第１回動位置に変位する際に第１回動位置よりも下流側に変位して上流側通路１５ａの通路内に進入するように構成されている。従って、上流側通路１５ａ内を流下する遊技球と同方向に回動内壁部を変位させながら当該第２回動内壁部６２を通路内に進入させて堰き止めることができるため、前枠４開放時に第２回動内壁部６２に近づこうとしている遊技球のみならず、既に第２回動内壁部６２上を流れている遊技球についても堰き止めやすく、より零れにくい構成を実現できる。
【００５３】
また、本実施形態では、「回動内壁部」として、回動軸線Ｇ１を中心として回動可能に構成された第１回動内壁部６１及び第２回動内壁部６２が設けられている。そして、第１回動内壁部６１及び第２回動内壁部６２がそれぞれ、第１回動位置と第２回動位置とで変位する構成をなし、第１回動内壁部６１が第２回動位置にあるときに上流側通路１５ａの所定位置を遮断し、第２回動内壁部６２が第２回動位置にあるときに上流側通路１５ａにおける第１回動内壁部６１による遮断位置よりも下流位置を遮断するように構成されている。この構成によれば、第１回動内壁部６１によって上流側を遮断すると共に第２回動内壁部６２によって下流側を遮断することができるため、前枠４の開放時に上流側通路１５ａを流下する遊技球を二段階に分けて効果的に遮断できる。特に、遊技球を複数位置で堰き止めることができるため、遊技球の球圧を分散することができ、特に、上流側通路１５ａを多量の遊技球が流下する場合に有利となる。
【００５４】
また、本実施形態では、遊技盤５の盤面と直交する方向を前後方向とし遊技者側を前方側としたとき、第１回動内壁部６１が、第１回動位置のときに上流側通路１５ａの通路内に進入して当該上流側通路１５ａを流下する遊技球を堰き止め、第２回動位置のときに第１回動位置よりも前方側に退避するように構成されている。このようにすると、第１回動内壁部６１をそれほど後方側に移動させずに済むため、上流側通路１５ａの後方側の構成をよりコンパクトにすることができる。
【００５５】
また、本実施形態では、第１回動内壁部６１と第２回動内壁部６２とが一体的に連結され、第２回動内壁部６２において回動軸線Ｇ１を中心とする回動半径方向外側に延出する延出部６９が連結されている。そして、第１回動内壁部６１及び第２回動内壁部６２は、前枠４の閉塞時に延出部６９が押圧部９９によって押圧されことでそれぞれ第１回動位置に設定されるようになっており、延出部６９が内枠３側に設けられたベース部材（具体的には保持部材４０の第１当接部４３ａ）と当接することで所定回動範囲を超える回動が規制されている。このようにすると、前枠４が閉塞される際に第１回動内壁部６１及び第２回動内壁部６２を第１回動位置側に一体的に変位させることができ、且つ必要以上の回動を規制して正確に位置決めしやすくなる。また、前枠４の開放時にはこれら回動内壁部を一体的に変位させて両部材を迅速に第２回動位置に設定しやすくなる。
【００５６】
また、本実施形態では、上流側通路１５ａにおいて、遊技球を下方に誘導する下方誘導部２０と、下方誘導部２０によって誘導された遊技球を前方側に向けて方向転換する方向転換部３０とが設けられている。そして、第１回動内壁部６１は、第２回動位置にあるときに方向転換部３０の入口側において遊技球の下方側への流下を遮断し、第２回動内壁部６２は、第２回動位置にあるときに方向転換部３０の出口側において遊技球の前方側への流下を遮断するように構成されている。このようにすると、前枠４の閉塞時に方向転換部３０の入口側が遮断されるため、前枠４の閉塞時に方向転換部３０内に遊技球が流入し続けなくなり、方向転換部３０内に遊技球が詰まりすぎなくなる。また、方向転換部３０で方向が転換されて速度が抑えられた遊技球を出口側で遮断しているため、第２回動内壁部６２によって出口側を遮断しようとする直前に遊技球が第２回動内壁部６２付近を突き抜けるといったことが生じにくくなり、出口側でより確実に遊技球を堰き止めやすくなる。
【００５７】
また、本実施形態において、第１回動内壁部６１は、第１回動位置のときに方向転換部３０の出口側部分の天井壁として構成され、第２回動位置のときに第１回動位置よりも後方にスライドして方向転換部３０の入口側に配置されるように構成されている。このように天井壁をスライドさせて通路内に進入させる構成とすると、遊技球が堰き止め可能となる位置までの距離が短くなり、小さな動きで迅速に遊技球を堰き止めることができる。
【００５８】
また、本実施形態において、第２回動内壁部６２は、第１回動位置のときに少なくとも方向転換部３０の底壁として構成され、第２回動位置のときには第１回動位置から前方側且つ上方側に変位して遊技球の前方側への流下を遮断するように構成されている。このように底壁をスライドさせて通路内に進入させる構成とすると、遊技球が堰き止め可能となる位置までの距離が短くなり、小さな動きで迅速に遊技球を堰き止めることができる。また、第２回動内壁部６２が前方側に移動しながら通路内に進入するため、前枠４閉塞時に第２回動内壁部６２付近を前方側に流れる遊技球を捕らえやすく、前方側への球零れがより生じにくくなる。
【００５９】
また、本実施形態では、図４から図５への変化、或いは図７から図８への変化で示すように、方向転換部３０の出口部付近で遊技球を堰き止めるときに、第１回動内壁部６１及び第２回動内壁部６２を回動させることで出口側開口部６４ｂの向きを上向き（詳しくは斜め前方向き且つ斜め上向き）に変更しており、これにより出口側開口部６４ｂよりも上流側に存在する遊技球が方向転換部３０の斜め下方に続く下流側通路１５ｂに向けて排出されないようにしている。このように方向転換部３０の出口部付近の流路方向を変更して遊技球を堰き止めるようにすると、出口側開口部６４ｂの開口面積を維持しつつ遊技球を堰き止めることができるため、出口部の開口を閉塞することによる球噛みを発生させることなく方向転換部３０の出口部付近を遮断できるようになる。
【００６０】
また、本実施形態では、方向転換部３０内において回動軸線Ｇ１を中心として回動可能に配置される略筒状の回動部材６０が設けられており、この回動部材の外周壁の一部が第１回動内壁部６１として構成され、外周壁の他部が第２回動内壁部６２として構成されている。そして、第１回動内壁部６１の周方向一方側に入口側開口部６４ａが設けられ、第１回動内壁部６１の周方向他方側に出口側開口部が設けられている。更に、第１回動内壁部６１及び第２回動内壁部６２が第１回動位置にあるときに、入口側開口部６４ａが下方誘導部２０に連通して配置されると共に出口側開口部６４ｂが下流側通路１５ｂと連通するように開放して配置され、第１回動内壁部６１及び第２回動内壁部６２が第２回動位置にあるときには、第１回動内壁部６１及び第２回動内壁部６２がそれぞれ上流側通路１５ａの流路内に進入して遊技球の流下を堰き止めるように構成されている。このようにすると、前枠４の閉塞時に方向転換部３０内を遊技球が通過可能となり、前枠４の開放時に方向転換部３０の入口側及び出口側がいずれも迅速に遮断されて遊技球が通過不能となるような構成をよりコンパクトに且つより簡易に実現できる。
【００６１】
［他の実施形態]
本発明は上記記述及び図面によって説明した実施形態に限定されるものではなく、例えば次のような実施形態も本発明の技術的範囲に含まれる。
【００６２】
上記実施形態では遊技機の一例としてパチンコ機について説明したが、他に例えばアレンジボール遊技機、雀球遊技機等の球払出装置が設けられる遊技機に適用することができる。
【００６３】
上記実施形態では、２つの回動内壁部が設けられた構成を例示したが、回動内壁部が１つのみであってもよい。例えば、第１回動内壁部６１及び第２回動内壁部６２のいずれか一方を省略し、その省略した部分を通路とした構成であってもよい。
【符号の説明】
【００６４】
１…遊技機
３…内枠
４…前枠
５…遊技盤
９…球受皿
１４…球払出装置
１５…球払出通路
１５ａ…上流側通路
１５ｂ…下流側通路
２０…誘導部
３０…方向転換部
４０…保持部材（保持部）
６１…第１回動内壁部
６２…第２回動内壁部
６４ａ…入口側開口部
６４ｂ…出口側開口部
７０…ねじりばね（付勢手段）
【図１】
2011130948.tif 000003
【図２】
2011130948.tif 000004
【図３】
2011130948.tif 000005
【図４】
2011130948.tif 000006
【図５】
2011130948.tif 000007
【図６】
2011130948.tif 000008
【図７】
2011130948.tif 000009
【図８】
2011130948.tif 000010
【図９】
2011130948.tif 000011
【図１０】
2011130948.tif 000012
【図１１】
2011130948.tif 000013
【図１２】
2011130948.tif 000014
【図１３】
2011130948.tif 000015